(57)【要約】      （修正有）【課題】建造物の建設時に地震に対する免震機能が高く、設置が極めて容易な建設資材として免震スライドボックスを提供する。【解決手段】建造物の基礎を作り、その中に設置固定される免震スライドボックスの建造物脚挿入部１２に建造物の脚を固定し、各脚がそれぞれ独立懸架になっていて、地震の縦揺れによる振動を軽減するクッション装置１１と横揺れに振動を多数の小球体の回転に基づいて免震スライダープレート１３をスライドさせ、上部建造物へ伝えない構造。免振スライドボックス上部には上部を保護する方形のリング状に重ね合わす重複蓋２７と重複蓋２７と接合してスライドボックス内を気密に保つ膜構造物２８を設置する。【選択図】図２１
2010270581.tif 000002
【特許請求の範囲】
【請求項１】
鋼鉄など硬く耐圧性の強い金属球とこれを包む球より僅かに大きな球状空間を創出する孔を有する上下２枚の金属板からなり、２枚の板の隣接する球との４隅をネジ止めにより接着し、回転可自在な球の上下が２枚の板より外へ突き出す形状のスライド盤を形成し、球が鉄板など他の平板と接してスライド盤が動く構造で、盤が四方八方自由にスライドできることを特徴とするアラウンドスライド盤。
【請求項２】
上部に建造物の設置脚を受け入れる建造物脚受容器と、建造物脚受容器の中に鋼製の強力スプリングを内蔵したゴムクッションを介して建造物の重量を均一に下方へ分散させ伝達する厚い鉄板を底に有するスライダー可動脚装置と、可動脚装置の下に四方八方自由にスライドできる耐圧性の強い多数の金属球を有するアラウンドスライド盤可動装置と、可動脚装置とアラウンドスライド盤可動装置を一定の範囲内で自由に移動させるための底に厚い鉄板を有するスライダー可動脚装置格納容器と、可動脚装置と可動脚装置格納容器を密着して移動させるため、可動脚に接着して移動する抑え可動梁を内蔵する上部に可動脚通過空間を有し移動天井を有する固定容器と、スライダー可動脚装置及びアラウンドスライド盤可動装置をそれぞれに可動脚装置格納容器の四方から牽引するダンパー装置と、スライダー可動脚装置及びアラウンドスライド盤可動装置と可動脚装置格納容器側壁との衝突を和らげるクッション装置と、移動天井を形成し外からの圧力にも耐えて連動するスライド性のリング状重複蓋装置と、連動リング状の重複蓋装置の上部に外界の水塵埃の侵入防止をする耐久被覆膜によるカバー装置と、可動脚装置格納容器内に満たした金属防腐の油又は液状体とからなり、地震等の振動に対し可動脚装置格納容器の左右上下運動によりエネルギーを逃し、片側２５ｃｍ以上、両側往復５０ｃｍ以上の滑走距離を有することを特徴とする一般建造物の免震スライダーボックス。
【請求項３】
上部に建造物の設置土台を挿入する建造物脚受容器と、建造物脚受容器の中に鋼製の強力スプリングを内蔵したゴムクッションを介して建造物の重量を均一に下方へ分散させ伝達する厚い鉄板を底に有するスライダーの可動脚装置と、可動脚装置の下に四方八方自由にスライドできる多数の耐圧性の強い金属球を有するアラウンドスライド盤可動装置と、可動脚装置とアラウンドスライド盤可動装置を一定の範囲内で自由に移動させるために底に可動脚装置より広面積の厚い鉄板を有する可動脚装置格納容器と、可動脚装置と可動脚装置格納容器を密着して移動させるための可動脚装置鉄板の上部に土台を挿入する容器より広く可動脚装置鉄板より狭い土台を挿入容器振幅窓を有するスライダー可動脚装置の安定固定用の中央開口のアラウンドスライド盤可動装置と、中央開口のアラウンドスライダー可動装置を上から抑える天井を有する上部固定容器と、スライダー可動脚装置及びアラウンドスライド盤可動装置をそれぞれに可動脚装置格納容器の四方から牽引するダンパー装置と、スライダー可動脚装置及びアラウンドスライド盤可動装置と可動脚装置格納容器側壁との衝突を和らげるクッション装置と、移動天井を形成し外からの圧力にも耐えて連動するスライド性のリング状重複蓋装置と、連動リング状の重複蓋装置の上部に外界の水塵埃の侵入防止をする耐久被覆膜によるカバー装置と、可動脚装置格納容器内に満たした金属防腐の油又は液状体とからなり、地震等の振動に対し可動脚装置格納容器の左右上下運動によりエネルギーを逃し、片側５０ｃｍ以上、両側往復１００ｃｍ以上の滑走距離を有することを特徴とする重量建造物の免震スライダーボックス。
【発明の詳細な説明】
【技術分野】
【０００１】  本発明は、上下に多孔の鉄板の間に挟まれた小鉄球を有するスライダー板で自由な方向へスライドすることが可能なアラウンドスライド盤を内蔵し、地震による振動を地面の動きに合わせてボックスが前後左右に動くことにより、建物と地面の間をスライドさせて振動エネルギーを吸収し、効果的に免震するスライダーボックスの提供に関する。
【背景技術】
【０００２】  地震の横揺れに対しては免震ベアリングで横揺れのエネルギーを逃し、縦揺れに対してはクッションで揺れを軽減することで対応する各種の技術が提供されている。平成５年以後の先行特許としては、免震構造物に関する特許文献は２７０件、免震建築物に関する特許文献は４５件、免震建造物に関する特許文献は２６件、免震ベアリングに関する特許文献は３件、フラットベアリングに関する特許文献は１件それぞれに提案されている。  すなわち耐震構造については、梁、鎹の構造改善、ダンパーの活用、ゴムの弾性の活用、縦横に組み合わせるローラーの活用、球体の活用等がある。  本発明は、ベアリングの回転に基づいて物体をスライドさせる方式であるが、これと類似性を有し、先行する出願には特許文献１から特許文献８に示す発明があげられる。【０００３】  特許文献１は、既存の積層形弾性ゴム−鋼免震ベアリングである水平免震装置にコイルスプリングまたは垂直用積層ゴムー鋼装置と多数個の鋼球及び垂直用免震装置シリンダーで構成された垂直免震装置を結合して作った水平及び垂直地震荷重に対して３次元免震が可能な装置、すなわち一体形水平−垂直免震ベアリングを提供するものである。これには滑面スライダーは含まれていない。【０００４】  特許文献２は、水平方向に任意に移動自在で、大きな荷重を支持可能で荷重支持要素と復元力要素を同時に発揮する免震支承で、片面に凹球面を有する上下対称の固定された２枚の鋼板とこの鋼板の間に挟む凹球面と同一の曲率の凸面を上下に有する中間鋼板から成り、各鋼板の間の間隙に介在された複数のベアリングボールから成っている。この技術ではベアリングボールの接触を回避するためリテーナリングで保持されている。  特許文献３は、水平方向縦横２方向にそれぞれ移動する、大きな荷重を支持可能で荷重支持要素と復元力要素を同時に発揮する免震支承で、鋼板の縦横２方向に沿った溝を掘り、溝に沿ってボールベアリングが移動する構造である。【０００５】  特許文献４は、球体支持板とその上に乗る３個の剛性球体と３個の球体を相互に間隔を維持ずる球体保持板とこの球体保持板と被免震構造物との間に設けられた球体継手とを含み、球体支持板に作用する水平方向の振動が被免震構造物へ伝達されることを防止する免震用スライド機構であって、本発明の多数の球体で重量を分担保持する方式ではない。【０００６】  特許文献５及び特許文献６は、免震建造物の下部構造物と上部構造物の間に免震層を備え、下部構造物と免震層との間にメガストラクチャーを設ける。免震層は、横スライドを自在に支持する無限軌道状の移動体を備えたスライダーと上部構造部の横スライドに抵抗を与えるダンパーとメガストラクチャーと上部構造部の横スライド量を所定値に規制するストッパーを有している。本発明とはスライダーの使用目的と構造が基本的に相違している。【０００７】  特許文献７は、弾性を有する合成樹脂又はゴム製の円筒体上下部に、上方建造物側及びコンクリート基礎側へ固定盤を設けると共に。円筒体内に粒状態を充填し、円筒体内に設けたロープの上下端部を固定盤の中央部に固定した復元体と接続固定して、上方建造物とコンクリート基礎の間に挟み、円筒体の弾性により復元体に復元能力が発生する構造である。この技術では粒状隊は円筒体充填物として用いられている。【０００８】  特許文献８は、対向して配置され互いに平行を保持したまま所定可動範囲の内で２次元相対可動な一対（２枚）の皿と皿と皿の間に配置された球体とから成るフラットベアリングを提供し、多数のフラットベアリングで地震横揺れ振動を吸収する点では本発明と同一の思想であるが、本発明の大きく移動するスライダーではない。【０００９】  特許文献９は、下部プレートと上部プレートの間に円筒ローラーを挟み、ローラーの両端に固定した１対のスライディングガイドを下部プレートに固定される側壁部材の内壁面に係合して摩擦減衰を与える。粘弾性又は粘性ダンバ、線形バネ及び硬化といった非線形バネを下部プレートと上部プレートの間に設けてベアリングの変位を減少し、エネルギーを散逸、もしくはベアリングの周期的動作性を調節できる免震ベアリングを提供している。すなわち、スライダーには本発明と相違する円筒ローラーを用いているので本出願とは相違する。【００１０】  特許文献１０は、建物重量を転がり支承体及びすべり支承体の両者で支持し、すべり支承体のすべり抵抗力が装置全体の降伏耐力として働き、平板状のゴム板を上下構造体の間に水平面との傾斜角３０°以内に取り付け、免震層の復元力を負担する装置として機能させる免震構造システムである。上下板の間に転がり支承体を挟む構造ではあるが、本発明のスライド盤を形成している構造ではない。【００１１】  特許文献１１は、シリコンゴムの球体を下部板と上部板の間に挟んで上部板下部に凹部の球体格納部を設け、球体の変形と転びによって地震の震動を吸収する構造である。揺れや振動が少なく下部板と上部板との間の相対移動量が球体の弾性変形範囲内であるときは、下部板と上部板との面摩擦力によって球体は弾性変形し減衰機能を発揮する。揺れや振動が大きく下部板と上部板との間の相対移動量が球体の弾性変形範囲を超えると、球体は下部板と上部板との間を水平方向に転がり、転がり免震承体として揺れを吸収する免震作用を発揮する。但し、変形球体は長期変形で故障が起り易い。従って、当発明の鋼性のスライド盤及びスライダーの構造とは相違する。【００１２】  特許文献１２は、建造物の床面または土台と橋梁の間にベアリングを挟み、ベアリングの球からはみ出た球の一部が接している橋梁の底面に凹部を加工して球の逸散を防ぐと同時に支柱の先端部と球面で接し、支柱を伝わる振動を球の自転と枠のスリット部の開閉によって振動を吸収する免震建造物の提供を行っている。しかしここに用いられたベアリングは本発明の大きく移動するスライダーではない。【００１３】  特許文献１３は、免震支承は免震構造物と基礎との間に設置される。片面に凹球面を有し、同凹球面を上下対称に配置し、一方が免震構造物の下底面に他方は基礎の上面にアンカー手段等により固定された２枚の端部鋼板の間に配置され、前記各項板同士の間隙に介在された複数のボールベアリングとから成り、各項性要素は上下にサンドイッチ状に密着した組み合わせで構成されている。この構造は本発明のスライド盤の構造とは基本的に相違する。【００１４】  特許文献１４は、剛性を有する剛性板と弾性を有する��性板とを高さ方向に交互に積層した積層体の内部に免震ベアリングを配置する構造である。ベアリングの用途は本発明のスライダーによる免震方法ではない。【００１５】
【特許文献１】特許公開平１０−３７５１６  一体形水平−垂直免震ベアリング
【特許文献２】特許公開平１１−３５０７８４  免震支承
【特許文献３】特許公開平１１−３５１３１９  免震支承
【特許文献４】特許公開２０００−４６１０７  免震用スライド機構
【特許文献５】特許公開２０００−３４５７３０  免震建造物
【特許文献６】特許公開２０００−３４５７３１  免震建造物
【特許文献７】特許公開２００２−２６６５１９  免震建造物用復元体
【特許文献８】特許公開２００３−７４５４６  フラットベアリング
【特許文献９】特許公開２００３−２３２４００  免震ベアリング
【特許文献１０】特許公開２００３−３０７０４５  免震構造システム
【特許文献１１】特許公開２００７−１６２７５１  免震装置、及び免震構造物、並びに免震工法
【特許文献１２】特許公開２００７−１７７６０１  ベアリング免震建築工法
【特許文献１３】特許公開２００７−１９７９１６  免震構造物
【特許文献１４】特許公開２００９−４７１９４  積層免震ベアリング
【発明の開示】
【発明が解決しようとする課題】
【００１６】  地震による建造物の破壊作用は、縦揺れと横揺れの合力による振動振幅作用によるものであり、地震計による従来の大地震の振幅データーを見れば、震度７の地震波の場合、そのエネルギーはおよそ２．３７０ｇａｌ振動の往復巾が約４５ｃｍである。特に破壊力の大きな地震波は、空中で支えのない横揺れ方向の振幅である。  縦揺れ方向の地震波は地面の突き上げがり、構造物及び人体は重力の加速度で下方へ引き寄せられる。巨大地震波による構造物の歪みは、場所毎に最大１０ｃｍ前後の高低差が考えられ建造物脚毎に独立懸架させ、クッションによる歪み解消が重要である。  その荷重も全体重量の数倍の加速度であるので建造物の強度とクッション作用で縦揺れによる歪みの破壊力は軽減できる。    実際にはこの縦揺れと横揺れが複雑に重なってイレギュラーしながら発生するので、その破壊力は増幅され、単純ではない。即ち、振動方向に沿って上下の縦方向・横方向に力のモーメントを分解して対応すること、重量を広面積に多点で支持することが安全上必要であると考えられる。更に、免震装置は通常は静止状態にあり、金属部分は大気中の酸素により酸化され錆び付く恐れが大きい。酸化防止対策が重要である。  本発明は、地震の衝撃は波のうねり状に波及し、建造物の位置毎に均等に掛かるものではないので、建造物の脚部を一つ一つ独立懸架させ、建造物の脚毎に免震させる方式と合わせ長期静止状態に置かれる金属の錆・腐食を防止する装置を提案した。  破壊力の大きな横揺れを多数の小球体の回転に基づいてをスライドさせ、地面の移動巾を最大５０ｃｍと考えて地面の振動の動きに合わせ、建造物基盤と共にスライダーボックスのみが移動し、振動を建造物と切り離し、建造物本体は殆ど揺れない機構を考案した。イレギュラーな波をうつ縦揺れについては、地面から建造物へ与える衝撃が場所により一定ではないので、スライダーボックスの建造物脚受容器の中に鋼製の強力スプリングを内蔵したゴムクッションを備え、独立懸架方式で一脚に加わる突き上げの力毎に衝撃吸収を行う構造を考案した。これにより縦方向の振動に対しても建造物は上下に揺れるが過激な衝撃は回避される建造を提案した。
【課題を解決するための手段】
【００１７】  図１に示す通り、建造物の基礎を作り、免震スライダーボックスはその中に設置固定される。設置に当たっては四面等水準になるように水準計測することが重要である。設置されたスライドボックスは地震の揺れによって、図２に示す通り、大地の移動方向に沿ってスライドボックス自体が移動する。Ｉの図は地震前の静止している時点の建造物の脚の位置である。ＩＩは、地震により地面が右から左の方向へ最大移動した位置を示す。ＩＩＩは、地震により地面が左から右の方向へ最大移動した位置を示し、具体的には地面の移動する方向へボックスが移動することを表示している。  建造物の脚はスライダーボックスの建造物脚挿入部に固定され、各脚がそれぞれ独立懸架になっていて、地震の縦揺れによる振動を軽減しながら、破壊力の大きい横揺れについては上部建造物へ伝えない構造になっている。即ち、スライドボックスの一つ一つは独立して作動するので、振動に対し独立懸架の状態で場所毎にエネルギーを吸収する。  この振動巾は横片側５０ｃｍ、往復１メートルを想定している。すなわち、過去の地震の最大振幅４５ｃｍより大きい距離を想定している。また、上下の縦振動による衝撃の吸収は、場所によって相違するので独立懸架の建造物脚挿入部のクッションによって軽減する。また、横揺れ片側２５ｃｍ、全復５０ｃｍのスライダーの場合でも、大地震の揺れを半分以下に軽減することが可能である。  従って、課題を解決するために本発明の装置は、６種類の機構で構成されている。第１は、スライダーを積載して移動するアラウンドスライド盤の部分。第２は、建造物の脚を挿入して移動するスライダーの部分。第３は、スライダー内で建造物を支持し、振動を和らげる特殊クッションの部分。第４は、スライダーガスライドボックス内で安定走行できるように固定する部分。第５は、アラウンドスライド盤、スライダーを格納するスライドボックスの部分。第６は、スライドボックス内で金属の腐食を防止する防錆輸液の部分である。【００１８】  アラウンドスライド盤は、図３に示すように、多数の鋼製球体が密に配列された固定盤で、その機能は前後左右斜方向いずれへも自在に移動することが可能である。図４はアラウンドスライド盤の前後左右の側面図である。１は鋼製球体、２は上面から鋼製球体を包むアラウンドスライド盤上面被覆板（カバー板）、３は下面から鋼製球体を包むアラウンドスライド盤下面被覆板（カバー板）、４は上下被覆板を接着するネジとネジ孔を示している。図５はアラウンドスライド盤の上から見た平面図と下から見た底面図を示した。表示した記号は図３と同一である。図６は、アラウンドスライド盤の側断面図である。アラウンドスライド盤は鋼製球体を上下の上下被覆板（カバー板）で補足ホールドされ、球体はカバー板の上下にそれぞれ突出して、スライドボックスの底盤とスライダー底盤との間に位置して直接接し、建造物重量をスライドボックス底へ伝達する。図７は、アラウンドスライド盤の鋼製球体の密な配列状況を示している。１は鋼製球体である。図８は、アラウンドスライド盤の上面被覆板（カバー板）の側面図を示している。５は鋼製球体の上面球体突出口であり、６は鋼製球体の補足空間である。図９は、アラウン��スライド盤の下面被覆板（カバー板）の側面図を示している。７は鋼製球体の下面球体突出口であり、８は鋼製球体の補足空間である。図１０は、アラウンドスライド盤の上面被覆板（カバー板）と下面被覆板（カバー板）の側面図を示している。５及び７は鋼製球体の上下面球体突出口であり、６及び８は鋼製球体のホールダーとなる補足空間である。図１１は、アラウンドスライド盤の球体ホールダーとなる上下面被覆板（カバー板）の背面図である。２及び３は上下面被覆板（カバー板）の外側面を示している。５及び７は鋼製球体が球体ホールダー上下面の外へ突出す窓の出口であり、４は球体ホールダーの上下被覆板を接着し固定するネジとネジ孔を示している。【００１９】図１２は、一般住宅等比較的軽量な建造物に用いるスライドボックスの側断面の内部構造を示した。  図に示す９〜１３の装置はスライダーの部品で、９は上部建造物の脚部を収容する脚部収容空間である。１０は上部建造物の脚部との接続装置、１２は上部建造物の脚部の挿入口である。１１は、上部建造物の脚部を下から支えるクッションである。クッションは柔らかいゴム製でゴム組織内部に鋼製の強力なスプリングを内蔵させ、強力な支持力と併せ巨大な重力変動の衝撃に対して柔軟に対応できる構造である。１３は、スライダープレートである。スライダーの滑走部で巨大な重量を支えるため、曲げ、歪み衝撃に対し強化する必要があるので、厚い鋼板でスムースな滑走にするため底面周辺部は上へ向けて丸みをつけている。なお側面周囲には衝撃防止のゴムクッション１８を付している。１４は、アラウンドスライド盤である。スライダーを積載して鋼製の球体が四方八方いずれの方向へも自由に移動できる構造である。最大移動範囲を約１７ｃｍに設定すれば、スライダープレートはその上を３４ｃｍ移動し、地面とスライダーボックスが５１ｃｍ移動してもスライダープレートとスライダーボックスの衝突は起こらない。即ち、地面が５０ｃｍも移動する大地震が起こっても上部建造物へは横揺れの影響は発生しない原理である。１５は、スライダーボックスパンの基底部である。スライダーボックス底は鍋の形をしているのでパンと呼ぶ。基底部は上部建造物の重量全てを支えるので、強力な曲げの力が働く、アラウンドスライド盤のスムースな移動を可能にするため、硬く厚い鋼製盤を形成している。１６は、スライダーボックスパンの側壁である。側壁にはスライダー及びアラウンドスライダーを四方から引っ張るダンパー１７取り付け具と周囲にこれらとの衝突に対する衝撃吸収のクッション１８を備えている。１９は、スライダーボックスパンとパン上部の蓋部を取り付ける、パン周縁の上部天蓋部との接着プレートである。取り付け板金具２１でスライダーボックスパンと上部の蓋部を密着させる。２０は、パン上部の蓋部側壁である。２１は、スライダーボックスパンとパン上部の蓋部を取り付けるボルトネジである。２２は、スライダーボックスの天蓋支持プレートである。２３は、スライダーをスライダーボックスパンに押し付け固定し、がたつきを起こさないで左右の移動をスムースにするスライダープレート上部の固定車輪である。２４は、固定車輪を上から押さえる固定車輪レールである。２５は、固定車輪レールを前後に運ぶ車輪で、スライダープレートを上から押さえる機能を有している。２６は、固定車輪レールを前後に運ぶ車輪を上から押さえる固定車輪のレールである。すなわち、左右の固定車輪とこれを押さえる左右のレール、前後の固定車輪とこれを押さえる前後のレールによってスライダーはガタ付かずスムースに前後左右へ移動できる。２７は、天蓋の外からの圧力に対し上部を保護するリング状に重ね合わす重複蓋である。重複蓋は相互に噛み合わせになっていて、スライダーの移動に伴い、内側の蓋が外側の蓋を引きずって移動に伴い全体の蓋が次々とスライダーボックスを覆いながら移動する。２８は、重複蓋と接合して、スライダーボックス内を気密に保つ膜構造物である。膜構造物だけでスライダーボックスを覆うと外圧で膜が内側へ凹曲するので重複蓋と接合して重複蓋で支える構造を採用している。３０は、スライダーボックス内を満たす金属酸化防止の油液である。スライダーボックスは長期間に亘り湿気の多い地下で静止状態にあるので酸化されやすく、ボックス内の露出する金属表面を油膜で覆い、空気中の酸素による酸化を防止する。【００２０】図１３は、スライダーボックスの天蓋支持プレ−ト２２下を上方から見た内部構造を示した。  中央にスライダー１３を配置している。スライダーは、ゴム製でゴム組織内部に鋼製の強力なスプリングを内蔵するクッション１１を容器底に設置している。スライダーには、上部建造物の脚部を挿入する脚部収容空間９及び脚部挿入口１２があり、脚部と接続連結する上部建造物脚部接続装置１０がある。１４はアラウンドスライド盤でスライダプレートを載せて、スライダーボックス内を四方八方へ自在に移動することが可能である。  スライダーボックス内のスライダープレート１３の移動距離は、アラウンドスライド盤１４の移動距離とその２倍のアラウンドスライド盤上のスライダーの移動距離とを加えて距離の移動が可能である。例えば、アラウンドスライド盤上の移動可能な距離が２５ｃｍである場合は、スライダープレートの移動可能距離はアラウンドスライド盤上の２５ｃｍであり、スライダーは片側５０ｃｍ移動することが可能である。同じくアラウンドスライド盤上の移動可能な距離が３０ｃｍである場合は、スライダープレートの移動可能距離はアラウンドスライド盤上の３０ｃｍであり、スライダーは片側６０ｃｍ移動することが可能である。  前述の通り、震度７の地震波の場合、そのエネルギーはおよそ２．３７０ｇａｌ、振動の往復巾が約４５ｃｍであるので、地震計の針が振り切れる程の大地震の場合でも、片側移動距離が５１ｃｍ〜７５ｃｍもあれば一応免震作用により建造物の破壊は免れるものと思われる。  スライダープレート１３上の上部建造物脚部接続装置１０の外側には、スライダープレートをアラウンドスライド盤と密着させるための左右移動の固定車輪レール２４が設置され、スライダーの前後の作動に従って伴走する構造になっている。左右移動の固定車輪レール２４は、前後移動の固定車輪レール２６で固定されている。スライダープレート１３とアラウンドスライド盤１４はそれぞれダンパー１７によって四方から牽引されている。  ダンパーの機能は、万一にもスライダーが振り切れ、ス��イダーボックス壁１６と接触する場合の衝撃吸収のブレーキの役割である。スライダープレート１３とアラウンドスライド盤１４及びスライダーボックス壁１６の周囲には、接触する場合の衝撃吸収用のクッション１８が設置されている。スライダーボックスの周囲にはライダーボックスパンとパン上部の蓋部の接着プレ−ト１９を配置し、接着ボルト２１でこれを接着させている。【００２１】図１４は、スライダーボックスの天蓋リング上面からの平面図を示した。１１は、ゴム組織内部に鋼製の強力なスプリングを内蔵するクッションであり、１２は上部建造物の脚部の挿入口である。１９は、パン周縁とパン上部の蓋部の接着プレートである。２１は、スライダーボックスパンとパン上部の蓋部を取り付けるボルトネジである。図に示したａ、ｂ、ｃ、ｄ、ｅ、ｆ、ｇ、ｈ、ｉ、ｊ、ｋ、ｌ、ｍ、ｎの記号は天蓋の外側から内側へ向けて被覆する重複支持リングの内側から外側までの順序の記号である。【００２２】図１５は、図１４アの部分の即断面をしめし、上部天蓋部の重複支持リングと密閉膜の接続状況を示す図である。１９は、パン周縁とパン上部の蓋部の接着プレートである。２０は、パン上部の蓋部側壁である。２２は、スライダーボックスの天蓋支持プレートである。２７は、天蓋の外からの圧力に対し上部を保護する方形のリング状に重ね合わす重複蓋である。２８は、重複蓋と接合して、スライダーボックス内を気密に保つ膜構造物である。膜の内部へは窒素ガスを空気と置換させて装置内の酸化防止を行う。  膜構造物はリング状の重複蓋外縁部と次のリング状の重複蓋外縁部との間を襞状にリング上面を覆って繋ぎ、リングの移動に伴って移動変形し、スライダーボックス内の空間と外側空間を密封する機能がある。この膜の密封によって外界からの湿気、空気の侵入が遮断され、装置の腐食が防止される。【００２３】図１６はリング状の重複蓋の上から見た平面図である。内側の太い黒線は上部への突起である。リングのサイズは隣接するリングと半分ずつ重複し、通常は全体的に二重を形成するが、スライダーボックスの移動によって、伸ばされる側は一重で上部を支持する。重複蓋の外端は下側へ突出して曲がり、内端は上側へ突出して曲がり、それぞれ次のリングの内端及び外端の突出部と噛み合わせて、スライダーの移動に伴い、リングが数珠状に連なって移動する構造である。図に示したａ、ｂ、ｃ、ｄ、ｅ、ｆ、ｇ、ｈ、ｉ、ｊ、ｋ、ｌ、ｍ、ｎの記号は天蓋の重複支持リングの内側から外側までの順序に従ったリングの記号である。【００２４】図１７はスライダーボックスの正面、背面、両側面の外観図である。１０は上部建造物の脚部との接続装置であり、１２は上部建造物の脚部の挿入口である。１５は、スライダーボックスパンの基底部であり、１６は、スライダーボックスパンの側壁である。１９は、スライダーボックスパンとパン上部の蓋部を取り付ける、パン周縁の上部天蓋部との接着プレートである。２０は、パン上部の蓋部側壁である。２１は、スライダーボックスパンとパン上部の蓋部を取り付けるボルトネジである。２８は、重複蓋と接合して、スライダーボックス内を気密に保つ膜構造物である。【００２５】図１８はスライダーボックスを上面から見た平面外観図である。１０は上部建造物の脚部との接続装置であり、１２は上部建造物の脚部の挿入口である。１９は、スライダーボックスパンとパン上部の蓋部を取り付ける、パン周縁の接着プレートである。２１は、スライダーボックスパンとパン上部の蓋部を取り付けるボルトネジである。【００２６】図１９はスライダーボックスの底面外観図である。１５は、スライダーボックスパンの基底部であり、１９は、スライダーボックスパンとパン上部の蓋部を取り付けるパン周縁の接着プレートである。２１は、スライダーボックスパンとパン上部の蓋部を取り付けるボルトネジである。【００２７】図２０には、地震による重量建造物と免震スライダーボックスの移動変形のモデルを側面断面の構造図で示した。  図に示すＩは静止状態を示し、ＩＩは右から左への地面の動きに伴うスライダーボックスの変形を、ＩＩＩは左から右への地面の動きに伴うスライダーボックスの変形を示した。矢印は地面の移動方向を示した。地面は移動しても建物は静止状態である。【００２８】図２１には、重量建造物の免震スライダーボックスの側面断面の構造図を示した。  図に示す９〜１３の装置はスライダーの部品で、９は上部建造物の脚部を収容する脚部収容空間である。１０は上部建造物の脚部との接続装置、１２は上部建造物の脚部の挿入口である。１１は、上部建造物の脚部を下から支えるクッションである。クッションは柔らかいゴム製でゴム組織内部に鋼製の強力なスプリングを内蔵させ、強力な支持力と併せ巨大な重力変動の衝撃に対して柔軟に対応できる構造である。１３は、スライダープレートである。スライダーの滑走部で巨大な重量を支えるため、曲げ、歪み衝撃に対し強化する必要があるので、厚い鋼板でスムースな滑走にするため底面周辺部は上へ向けて丸みをつけている。なお側面周囲には衝撃防止のゴムクッション１８を付している。１４は、アラウンドスライド盤である。スライダーを積載して鋼製の球体が四方八方いずれの方向へも自由に移動できる構造である。最大移動範囲を約１７ｃｍに設定すれば、スライダープレートはその上を３４ｃｍ移動し、地面とスライダーボックスが５１ｃｍ移動してもスライダープレートとスライダーボックスの衝突は起こらない。即ち、地面が５０ｃｍも移動する大地震が起こっても上部建造物へは横揺れの影響は発生しない原理である。１５は、スライダーボックスパンの基底部である。スライダーボックス底は鍋の形をしているのでパンと呼ぶ。基底部は上部建造物の重量全てを支えるので、強力な曲げの力が働く、アラウンドスライド盤のスムースな移動を可能にするため、硬く厚い鋼製盤を形成している。１６は、スライダーボックスパンの側壁である。側壁にはスライダー及びアラウンドスライダーを四方から引っ張るダンパー１７取り付け具と周囲にこれらとの衝突に対する衝撃吸収のクッション１８を備えている。１９は、スライダーボックスパンとパン上部の蓋部を取り付ける、パン周縁の上部天蓋部との接着プレートである。取り付け板金具２１でスライダーボックスパンと上部の蓋部を密着させる。２０は、パン上部の蓋部側壁である。２１は、スライダーボックスパンとパン上部の蓋部を取り付けるボルトネジである。２２は、ス��イダーボックスの天蓋支持プレートである。スライダーボックスの天蓋支持プレート２２は、上部アラウンドスライド盤１４を押さえ、スライダーをスライダーボックスパン１５に押し付けて固定し、スライダーがガタツキを起こさないで左右の移動をスムースにする機能を有する。２８は、重複蓋と接合して、スライダーボックス内を気密に保つ膜構造物である。膜構造物だけでスライダーボックスを覆うと外圧で膜が内側へ凹曲するので重複蓋と接合して重複蓋で支える構造を採用している。２９は、重量建造物免震スライダーボックス天蓋プレート間の脚部室移動空間である。３０は、スライダーボックス内を満たす金属酸化防止の油液である。スライダーボックスは長期間に亘り湿気の多い地下で静止状態にあるので酸化されやすく、ボックス内の露出する金属表面を油膜で覆い、窒素を満たし酸素の酸化による錆を防止する。【００２９】図２２は、重量建造物の免震スライダーボックス天蓋部の側面断面図を示した。１７は、アラウンドスライダーを側壁の四方から引っ張るダンパーである。１９は、スライダーボックスパンとパン上部の蓋部を取り付ける、パン周縁の上部天蓋部の接着プレートである。２１は、スライダーボックスパンとパン上部の蓋部を取り付けるボルトネジである。２２は、スライダーボックスの天蓋支持プレートである。２７は、天蓋の外からの圧力に対し上部を保護する方形のリング状に重ね合わす重複蓋である。２８は、重複蓋と接合して、スライダーボックス内を気密に保つ膜構造物である。２９は、重量建造物免震スライダーボックス天蓋プレート間の脚部室移動空間である。【００３０】図２３は、重量建造物スライダーの側断面図である。９は上部建造物の脚部を収容する脚部収容空間である。１０は上部建造物の脚部との接続装置、１２は上部建造物の脚部の挿入口である。１１は、上部建造物の脚部を下から支えるクッションである。クッションは柔らかいゴム製でゴム組織内部に鋼製の強力なスプリングを内蔵させ、強力な支持力と併せ巨大な重力変動の衝撃に対して柔軟に対応できる構造である。１３は、スライダープレートである。１４は、スライダープレートを上に載せて滑走する底面アラウンドスライド盤とスライダープレートを底面アラウンドスライド盤に押し付けて滑走する上部アラウンドスライド盤である。１８は、アラウンドスライド盤と側壁の衝突・接触に対する衝撃吸収のクッションである。【００３１】図２４は、重量建造物スライダーボックスパンの側断面図である。１５は、スライダーボックスパンの基底部である。１７は、スライダープレートとアラウンドスライド盤を側壁の四方から引っ張るダンパーである。１８は、スライダープレート及びアラウンドスライド盤と側壁の衝突に対する衝撃吸収のクッションである。１９は、スライダーボックスパンとパン上部に蓋部を取り付るパン周縁の上部天蓋部との接着プレートである。【００３２】図２５は、上部アラウンドスライド盤の側面図である。図２６は、上部アラウンドスライド盤の平面図及び底面図である。１は、鋼製球体、２は、上部アラウンドスライド盤の上面被覆板である。３は、上部アラウンドスライド盤の下面被覆板である。５は、上部アラウンドスライド盤上面被覆板��体明細書１３露出孔であり、７は、上部アラウンドスライド盤下面被覆板球体露出孔である。１８は、上部アラウンドスライド盤の移動に伴うスライダー及びボックスとの衝突接触の衝撃を緩和するためのスライド盤外側と内側のクッションである。２９は、スライダーボックス天蓋プレート間の脚部室移動空間である。【００３３】図２７は、底面アラウンドスライド盤の側面図である。図２８は、底面アラウンドスライド盤の平面図及び底面図である。１は、鋼製球体、２は、底面アラウンドスライド盤の上面被覆板である。３は、底面アラウンドスライド盤の下面被覆板である。５は、底面アラウンドスライド盤上面被覆板球体露出孔であり、７は、底面アラウンドスライド盤下面被覆板球体露出孔である。１８は、上部アラウンドスライド盤の移動に伴うボックスとの衝突接触を緩和するためのスライド盤外側と内側のクッションである。２９は、スライダーボックス天蓋プレート間の脚部室移動空間である。
【産業上の利用可能性】
【００３４】  本発明は、建造物の建設時に地震に対する免震機能が高く、設置が極めて容易な建設資材として免震スライドボックスを提供するものである。  地震は、震度７の地震波の場合、そのエネルギーはおよそ２．３７０ｇａｌ、地震計の触れによれば振動の往復巾が約４５ｃｍである。特に横揺れの破壊力は大きい。  そこで、地震計の針が振り切れる程の大地震の場合で、揺れによる地面の移動距離が最大で５０ｃｍ近く瞬間的に移動しても、免震スライドボックスのスライド機能が片側だけで５０ｃｍ〜６０ｃｍあれば、一応免震作用により建造物は静止して破壊は免れると考えられる。今回のご提案では、全体の振幅は１ｍ以上の移動幅を確保することが可能である。  本装置は、建造物の接地面に建造物基盤の部品として設置されるものであるが、地面移動が５０〜６０ｃｍあった場合でも、免震スライドボックスが移動するだけで、建物が静止した状態で、免震の効果極めて高い構造である。  また、一般に免震装置の設置場所が建造物の低位置にあり、長期靜置状況に置かれるので、湿気、水没等で従来の装置では、金具が錆び付く恐れが多い。  本装置はその様な場所に設置されても、免震部分が密封され、金属部部は防錆油液に浸漬されて居り、窒素ガスと置換しているので、長期低湿地に靜置されても錆び付かない構造になっている。
【図面の簡単な説明】
【００３５】
【図１】免震スライダーボックスの建造物への設置位置図
【図２】免震スライダーボックスの作動方式図
【図３】アラウンドスライド盤俯瞰図
【図４】アラウンドスライド盤正面図、背面図、両側面図
【図５】アラウンドスライド盤平面図、背面図
【図６】アラウンドスライド盤断面図
【図７】アラウンドスライド盤球体配列図
【図８】アラウンドスライド盤上部カバー板断面図
【図９】アラウンドスライド盤下部受け板断面図
【図１０】アラウンドスライド盤上下板接合断面図
【図１１】アラウンドスライド盤上下板各表面図
【図１２】一般建造物の免震スライダーボックスの側断面図
【図１３】一般建造物の免震スライダーボックス内部平面図
【図１４】一般建造物の免震スライダーボックス天蓋のリング蓋配置図
【図１５】免震スライダーボックス天蓋部側断面図
【図１６】免震スライダーボックス天蓋のリング蓋平面図
【図１７】免震スライダーボックスの正面図、背面図、背面図
【図１８】免震スライダーボックスの平面図
【図１９】免震スライダーボックスの底面図
【図２０】重量建造物の免震スライダーボックスの揺れに対する対応の側断面図
【図２１】重量建造物の免震スライダーボックスの側断面図
【図２２】重量建造物の免震スライダーボックスの天井蓋部の側断面分解図
【図２３】重量建造物の免震スライダーボックスの建造物積載スライダー側断面分解図
【図２４】重量建造物の免震スライダーボックスの底面重量受けパンの側断面分解図
【図２５】重量建造物の免震スライダーボックスの上面スライド盤側断面図
【図２６】重量建造物の免震スライダーボックスの上面スライド盤平面図
【図２７】重量建造物の免震スライダーボックスの底面スライド盤側断面図
【図２８】重量建造物の免震スライダーボックスの底面スライド盤平面図
【符号の説明】
【００３６】Ａ  建設地面Ｂ  建設基盤Ｃ  免震スライドボックスＤ  建造部接地脚部Ｉ  免震スライドボックスの正常位置ＩＩ  地震により右から左へ向けた地面の移動に伴う免震スライドボックスの位置ＩＩＩ  地震により左から右へ向けた地面の移動に伴う免震スライドボックスの位置１  アラウンドスライド盤ローラー球体２  アラウンドスライド盤上面被覆板３  アラウンドスライド盤下面被覆板４  アラウンドスライド盤上下被覆板接着ネジ孔及びネジ５  アラウンドスライド盤上面被覆板球面露出孔６  アラウンドスライド盤上面被覆板ローラー球ホールダー空間７  アラウンドスライド盤下面被覆板球面露出孔８  アラウンドスライド盤下面被覆板ローラー球ホールダー空間９  免震スライダーボックスの建造物脚部挿入室１０  免震スライダーボックスの建造物脚部室接続装置１１  免震スライダーボックスの建造物脚部クッション装置１２  免震スライダーボックスの建造物脚部挿入口１３  免震スライダープレート１４  免震スライダーボックスのアラウンドスライド盤１５  免震スライダーボックスパン底面プレート１６  免震スライダーボックスパンの側壁１７  免震スライダーボックスのダンパー装置１８  免震スライダーボックス及びアラウンドスライド盤の接触クッション１９  免震スライダーボックスパンと免震スライダーボックス天蓋の結合装置２０  免震スライダーボックス天蓋の側壁２１  免震スライダーボックスパンと免震スライダーボックス天蓋の結合ネジ２２  免震スライダーボックス天蓋支持プレート２３  免震スライダー上部側面の左右に動くスライド車輪２４  免震スライダー上部スライド車輪を抑えるスライド梁装置２５  免震スライダー上部スライド梁装置の前後に動くスライド車輪２６  免震スライダー上部スライド梁装置車輪を抑えるレール装置２７  免震スライダーボックス天蓋のリング蓋２８  リング蓋を覆う膜性蛇腹装置２９  重量建造物免震スライダーボックス天蓋プレート間の脚部室移動空間３０  免震スライダーボックス内部の金属錆防止油液    ＜スライド蓋の記号＞ａ、ｂ、ｃ、ｄ、ｅ、ｆ、ｇ、ｈ、ｉ、ｊ、ｋ、ｌ、ｍ、ｎ    スライドボックス天井の被覆環状重複スライド蓋の内側から外側へ向けた蓋記号
【図１】
2010270581.tif 000003
【図２】
2010270581.tif 000004
【図３】
2010270581.tif 000005
【図４】
2010270581.tif 000006
【図５】
2010270581.tif 000007
【図６】
2010270581.tif 000008
【図７】
2010270581.tif 000009
【図８】
2010270581.tif 000010
【図９】
2010270581.tif 000011
【図１０】
2010270581.tif 000012
【図１１】
2010270581.tif 000013
【図１２】
2010270581.tif 000014
【図１３】
2010270581.tif 000015
【図１４】
2010270581.tif 000016
【図１５】
2010270581.tif 000017
【図１６】
2010270581.tif 000018
【図１７】
2010270581.tif 000019
【図１８】
2010270581.tif 000020
【図１９】
2010270581.tif 000021
【図２０】
2010270581.tif 000022
【図２１】
2010270581.tif 000023
【図２２】
2010270581.tif 000024
【図２３】
2010270581.tif 000025
【図２４】
2010270581.tif 000026
【図２５】
2010270581.tif 000027
【図２６】
2010270581.tif 000028
【図２７】
2010270581.tif 000029
【図２８】
2010270581.tif 000030
【手続補正書】
【提出日】平成21年9月15日(2009.9.15)
【手続補正１】
【補正対象書類名】特許請求の範囲
【補正対象項目名】請求項１
【補正方法】変更
【補正の内容】
【請求項１】
鋼鉄など硬く耐圧性の強い金属球とこれを包む球より僅かに大きな球状空間を創出する孔を有する上下２枚の金属ホールダー板からなり、２枚のホールダー板の隣接する球との４隅をネジ止めにより接着し、回転可自在な球の上下が２枚のホールダー板より外へ突き出す形状のスライド盤を形成し、球が鉄板など他の平板と接してスライド盤が球の回転によって動く構造で、盤が四方八方自由な方向にスライドできることを特徴とするアラウンドスライド盤。
【手続補正２】
【補正対象書類名】明細書
【補正対象項目名】００１８
【補正方法】変更
【補正の内容】
【００１８】  アラウンドスライド盤は、図３に示すように、多数の鋼製球体が密に配列された固定盤で、その機能は前後左右斜方向いずれへも自在に移動することが可能である。図４はアラウンドスライド盤の前後左右の側面図である。１は鋼製球体、２は上面から鋼製球体を包むアラウンドスライド盤上面ホールダー板（被覆板）、３は下面から鋼製球体を包むアラウンドスライド盤下面ホールダー板（被覆板）、４は上下被覆板を接着するネジとネジ孔を示している。図５はアラウンドスライド盤の上から見たホールダー平面図と下から見たホールダー底面図を示した。表示した記号は図３と同一である。図６は、アラウンドスライド盤の側断面図である。アラウンドスライド盤は鋼製球体を上下のホールダー板（被覆板）で補足ホールドされ、球体はホールダー板の上下にそれぞれ突出して、スライドボックスの底盤とスライダー底盤との間に位置して直接接し、建造物重量をスライドボックス底へ伝達する。図７は、アラウンドスライド盤の鋼製球体の密な配列状況を示している。１は鋼製球体である。図８は、アラウンドスライド盤の上面ホールダー被覆板（カバー板）の側面図を示している。５は鋼製球体の上面球体突出口であり、６は鋼製球体の補足空間である。図９は、アラウンドスライド盤の下面ホールダー被覆板（カバー板）の側面図を示している。７は鋼製球体の下面球体突出口であり、８は鋼製球体の補足空間である。図１０は、アラウンドスライド盤の上面被覆板（カバー板）と下面被覆板（カバー板）の側面図を示している。５及び７は鋼製球体の上下面球体突出口であり、６及び８は鋼製球体のホールダーとなる補足空間である。図１１は、アラウンドスライド盤の球体ホールダーとなる上下面被覆板（カバー板）の背面図である。２及び３は上下面被覆板（カバー板）の外側面を示している。５及び７は鋼製球体が球体ホールダー上下面の外へ突出す窓の出口であり、４は球体ホールダーの上下被覆板を接着し固定するネジとネジ孔を示している。
【手続補正３】
【補正対象書類名】明細書
【補正対象項目名】００３６
【補正方法】変更
【補正の内容】
【００３６】  Ａ  建設地面  Ｂ  建設基盤  Ｃ  免震スライドボックス  Ｄ  建造部接地脚部  Ｉ  免震スライドボックスの正常位置  ＩＩ  地震により右から左へ向けた地面の移動に伴う免震スライドボックスの位置  ＩＩＩ  地震により左から右へ向けた地面の移動に伴う免震スライドボックスの位置  １  アラウンドスライド盤ローラー球体  ２  アラウンドスライド盤上面被覆板（ホールダー）  ３  アラウンドスライド盤下面被覆板（ホールダー）  ４  アラウンドスライド盤上下被覆板接着ネジ孔及びネジ  ５  アラウンドスライド盤上面被覆板球面露出孔  ６  アラウンドスライド盤上面被覆板ローラー球ホールダー空間  ７  アラウンドスライド盤下面被覆板球面露出孔  ８  アラウンドスライド盤下面被覆板ローラー球ホールダー空間  ９  免震スライダーボックスの建造物脚部挿入室１０  免震スライダーボックスの建造物脚部室接続装置１１  免震スライダーボックスの建造物脚部クッション装置１２  免震スライダーボックスの建造物脚部挿入口１３  免震スライダープレート１４  免震スライダーボックスのアラウンドスライド盤１５  免震スライダーボックスパン底面プレート１６  免震スライダーボックスパンの側壁１７  免震スライダーボックスのダンパー装置１８  免震スライダーボックス及びアラウンドスライド盤の接触クッション１９  免震スライダーボックスパンと免震スライダーボックス天蓋の結合装置２０  免震スライダーボックス天蓋の側壁２１  免震スライダーボックスパンと免震スライダーボックス天蓋の結合ネジ２２  免震スライダーボックス天蓋支持プレート２３  免震スライダー上部側面の左右に動くスライド車輪２４  免震スライダー上部スライド車輪を抑えるスライド梁装置２５  免震スライダー上部スライド梁装置の前後に動くスライド車輪２６  免震スライダー上部スライド梁装置車輪を抑えるレール装置２７  免震スライダーボックス天蓋のリング蓋２８  リング蓋を覆う膜性蛇腹装置２９  重量建造物免震スライダーボックス天蓋プレート間の脚部室移動空間３０  免震スライダーボックス内部の金属錆防止油液      ＜スライド蓋の記号＞  ａ、ｂ、ｃ、ｄ、ｅ、ｆ、ｇ、ｈ、ｉ、ｊ、ｋ、ｌ、ｍ、ｎ      スライドボックス天井の被覆環状重複スライド蓋の内側から外側へ向けた蓋記号